(57)【要約】      （修正有）【課題】モニタの放熱性能を落とすことなくモニタにかかった液体を排水することが可能な電子機器筐体及び該筐体を具備したモニタ、医用診断装置を提供する。【解決手段】電子機器を収納した筐体１２と、筐体１２の天板１２ａに設けられ、電子機器によって熱せられた気体を筐体１２の上部に向けて放出させるための放出口部１３と、放出口部１３から筐体１２の内部に浸入した液体を電子機器と接触させることなく筐体１２の外部に排出させるための液体排出口部１４とを備える。【選択図】図２
2007235055.tif 000002
【特許請求の範囲】
【請求項１】
電子機器を収納した筐体と、
前記筐体の天板に設けられ、前記電子機器によって熱せられた気体を筐体の外部に放出させるための放出口部と、
液体が、前記筐体の外部から前記放出口部を通過して前記電子機器に接触すること防ぐための防水手段と、
を備えることを特徴とする電子機器筐体。
【請求項２】
電子機器を収納した筐体と、
前記筐体の天板に設けられ、前記電子機器によって熱せられた気体を前記筐体の上部に向けて放出させるための放出口部と、
前記放出口部から前記筐体の内部に浸入した液体を前記電子機器と接触させることなく前記筐体の外部に排出させるための液体排出口部と、
を備えることを特徴とする電子機器筐体。
【請求項３】
前記熱せられた気体を前記放出口部に導く放熱誘導路は、前記放出口部とオフセットされた位置に設けられていることを特徴とする請求項１または請求項２のいずれかに記載の電子機器筐体。
【請求項４】
前記液体排出口部には、前記放出口部から前記電子機器筐体内部に浸入した前記液体を傾斜のある誘導路に沿って前記液体排出口部へと誘導し、前記電子機器筐体の外部に排出させるための放熱排水ユニットが接続されていることを特徴とする請求項１ないし請求項３のいずれかに記載の電子機器筐体。
【請求項５】
前記液体排出口部は、前記放出口部から前記電子機器筐体内部に浸入した液体を前記電子機器筐体の外部の下部に向けて排出するように設けられていることを特徴とする請求項１ないし請求項４のいずれかに記載の電子機器筐体。
【請求項６】
前記液体排出口部は、前記電子機器筐体の側面または背面に設けられていることを特徴とする請求項１ないし請求項５のいずれかに記載の電子機器筐体。
【請求項７】
前記放出口部及び液体排出口部は複数設けられていることを特徴とする請求項１ないし請求項６のいずれかに記載の電子機器筐体。
【請求項８】
傾斜を有する電子機器を収納した筐体の天板と、
前記天板に設けられ、前記電子機器で熱せられた気体を外部に放出させるための放出口部と、を備え、
前記放出口部の周縁部は、前記筐体の外部に向いて、前記天板に対して凸状の突起を有することを特徴とする電子機器筐体。
【請求項９】
前記複数の放出口部は、前記天板の全面にわたり設けられていることを特徴とする請求項８に記載の電子機器筐体。
【請求項１０】
前記天板は、その表面に撥水加工が施されていることを特徴とする請求項８または請求項９のいずれかに記載の電子機器筐体。
【請求項１１】
前記天板は、撥水性のある材料で作られていることを特徴とする請求項８ないし請求項１０のいずれかに記載の電子機器筐体。
【請求項１２】
前記天板に設けられている前記複数の凸状の放出口部の口径は、前記天板の裏面に開孔する口径より小さくなるようにされていることを特徴とする請求項８ないし請求項１１のいずれかに記載の電子機器筐体。
【請求項１３】
請求項１ないし請求項１２のいずれかに記載の電子機器筐体を備えることを特徴とするモニタ。
【請求項１４】
前記天板の傾斜は、前記モニタ正面の画像表示面側が高く、前記モニタの背面側が低くなるように設けられていることを特徴とする請求項１３に記載のモニタ。
【請求項１５】
請求項１３または請求項１４のいずれかに記載のモニタを備えることを特徴とする医用診断装置。
【発明の詳細な説明】
【技術分野】
【０００１】
本発明は、電子機器筐体及び該筐体を具備したモニタ、医用診断装置に関する。
【背景技術】
【０００２】
例えばモニタ（ＦＰＤ：Flat Panel Display：フラットパネルディスプレイ）等の機器は、熱に弱いため内部で発生する熱を機器の筐体外部に放熱する必要がある。一般に熱（暖かい空気）は、冷たい空気よりも軽くなるため熱の発生源よりも高いところへと上昇し、最終的に機器の天板付近に集まることになる。従って、内部で発生した熱を効率よく放熱するために、機器の筐体の一部である天板には放熱のための孔等が設けられている（例えば、以下の特許文献１参照）。この特許文献１には、壁埋め込み型液晶パネルユニットにおいて、内部で発生した熱を放熱するために、液晶パネルの周壁に通気開口を設けた例が開示されている。この通気開口は、周壁の上下に複数設けられていることから、液晶パネルユニット内部で発生した熱が熱の対流の性質により効率よく放熱される。
【０００３】
また、この放熱用の孔を天板に設けることができない場合は、モニタの背面や側面に設けることで放熱を行う。さらにこの背面や側面からの放熱では不十分な場合、ファン等により強制的にモニタ内部を冷却する。
【特許文献１】特開２００３−７５８５８号公報
【発明の開示】
【発明が解決しようとする課題】
【０００４】
しかしながら、ファン等による強制的な冷却は、ファン等が駆動されることによって騒音が発生したり、また、ファン等を取り付けることによりコストも上昇する。そのため、できるだけ自然に放熱できるようにモニタの筐体に放熱用の孔を設けることになるが、モニタの背面や側面では十分に放熱できるとは限らず、最も効率よく放熱できるのはモニタの天板付近に放熱用の孔を設けることである。
【０００５】
一方で、モニタに放熱用の孔が空けられていると、使用中に誤って液体がこの放熱用の孔から浸入することもあり、液体の浸入によりモニタ内部の電子機器が誤作動、或いは故障することも考えられる。但し、通常、例えば机で文章を作るときにモニタを使用する場合は、モニタの天板付近から液体がモニタ内部に浸入することは考えにくく、このような状況で使用されるモニタに対しては一般的に耐水性或いは排水性までは要求されていないことが多い。
【０００６】
ところで、医用診断装置に上述のモニタを備えた場合、このモニタには、放熱の要求の他に、耐水性或いは排水性も要求される。すなわち、医用診断装置が使用される、例えば手術室等においては、上述の机で文章を作るときにモニタを使用する場合と異なり、常に水、薬液、血液等の液体がモニタの周りにあり、モニタにそれらの液体がかかることも多いと考えられる。ＩＥＣ６０６０１では、正常な使用時に液体を必要とする機器は、こぼれた液体が危害を生じる虞のある部分を濡らさない構成にすること、と要求しており、このような機器の例としては内視鏡装置や超音波診断装置が該当する。
【０００７】
そこで、たとえ液体がかかっても、或いは、洗浄のために水等をかけた場合であってもモニタが壊れないようにするためには、モニタを密封すれば良いが、密封してしまうとモニタ内部で発生した熱を放熱することが困難となり、却って熱によるモニタの不具合を招きかねない。また、モニタの画面表面からも放熱されるが、画面を密封すると通常視認性は悪くなることから、視認性を確保しつつ適切に放熱を行う必要がある。
【０００８】
本発明は上記課題を解決するためになされたものであり、本発明の目的は、モニタの放熱性能を落とすことなくモニタにかかった液体を排水することが可能な電子機器筐体及び該筐体を具備したモニタ、医用診断装置を提供することである。
【課題を解決するための手段】
【０００９】
本発明の実施の形態に係る第１の特徴は、電子機器筐体は、電子機器を収納した筐体と、筐体の天板に設けられ、電子機器によって熱せられた気体を筐体の外部に放出させるための放出口部と、液体が、筐体の外部から放出口部を通過して電子機器に接触すること防ぐための防水手段とを備える。
【００１０】
本発明の実施の形態に係る第２の特徴は、電子機器筐体は、傾斜を有する電子機器を収納した筐体の天板と、天板に設けられ、電子機器で熱せられた気体を外部に放出させるための放出口部と、を備え、放出口部の周縁部は、筐体の外部に向いて、天板に対して凸状の突起を有する。
【発明の効果】
【００１１】
本発明によれば、モニタの放熱性能を落とすことなくモニタにかかった液体を排水することが可能な電子機器筐体及び該筐体を具備したモニタ、医用診断装置を提供することができる。
【発明を実施するための最良の形態】
【００１２】
以下、本発明の実施の形態について図面を参照して詳細に説明する。
【００１３】
（第１の実施の形態）
図１に示す超音波診断装置１は、車輪が付き移動可能にされた支持台の上に診断装置本体２が設けられている。この診断装置本体２には、操作盤３と、プローブ４と、プローブ４から入力された診断情報を判断し処理するとともに超音波診断装置１の各機器の制御を行う制御部５と、診断情報を表示するモニタ６とが設けられている。
【００１４】
操作盤３には、診断を行う際に必要となる情報を入力するために用いられる入力手段やプローブ４等を操作するための操作手段が設けられている。また、プローブ４は、患者の診断対象となる部位に当て、診断情報を採取するための機器であって、プローブ４で採取された診断情報は制御部５に送られて解析や画像処理等の各種処理がなされる。
【００１５】
モニタ６は、制御部５によって処理された診断情報や超音波診断装置１の状態を示す情報を表示する機器である。ここで、以下、本発明の実施の形態を説明するにあたり超音波診断装置のモニタを例に挙げるが、内部に電子機器を備える電子機器筐体であれば医用診断装置等、特にその機器の種類は限定されない。
【００１６】
図２に示すように、本発明の第１の実施の形態に係るモニタ１０には、モニタ１０の筐体１２を構成する天板１２ａにモニタ１０の内部で発生した熱を放熱する放出口部１３と、筐体１２の内部に浸入した液体を排水する液体排出口部１４とが備えられている。なお、図２において液体排出口部１４が設けられている面がモニタ１０の背面Ｒに該当し、背面Ｒと対向するモニタ１０の画面が設けられた面が正面Ｆである。
【００１７】
放出口部１３は、天板１２ａの表面に複数設けられており、図２では３行３列設けられた例を示している。放出口部１３には、放出口部１３の形状に合わせた支持体１５ａに支持されて誘導棒１５が設けられている。この誘導棒１５は、天板１２ａにかかった液体が放出口部１３から浸入した場合に、液体を図３に示すような放熱排水ユニット１６の排水誘導路１８に導くためのものである。
【００１８】
放熱排水ユニット１６は、図３に示す模式図に表わされているように、モニタ１０の内部で発生した熱（暖かい空気）を放熱するために放出口部１３へと誘導する放熱誘導路１７と、放出口部１３から浸入した液体をモニタ１０の外部に排出するために液体排出口部１４へと導く排水誘導路１８とを備える。この排水誘導路１８は、放熱排水ユニット１６を天板１２ａのモニタ１０の内部側に組み込んだ組立例を表わす図４に示すように、放出口部１３及び誘導棒１５の直下に位置するように設けられている。また、放熱誘導路１７は、排水誘導路１８と排水誘導路１８とを連結する連結部材１９の部分、すなわち、放出口部１３とオフセットされた位置に設けられている。液体排出口部１４は、第１の実施の形態においては略方形の形状をしているが、この液体排出口部１４の形状は筐体１２に侵入した液体が排出可能な形状であればどのような形状でもかまわない。
【００１９】
次に、放熱が行われる際の熱の流れと排水が行われる際の液体の流れを、図５及び図６も用いて説明する。
【００２０】
図５は、図４におけるＡ−Ａ線で切断したＡ−Ａ線切断断面図である。図５の上部に表わされる天板１２ａの内部には放熱排水ユニット１６が組み込まれており、天板１２ａ付近には放熱誘導路１７が表わされている。実線の矢印で示すように、モニタ１０内で発生した熱（暖かい空気）は、筐体１２の上部に集まる。この熱は放熱誘導路１７の開口部を通り、排水誘導路１８の側壁に設けられている切り欠き部１８ａを抜けて排水誘導路１８の上部空間に設けられている誘導棒１５を伝うように上昇し、放出口部１３から筐体１２の外部へ放出される。すなわち、放熱誘導路１７と放出口部１３とは、上述のようにオフセットされた位置に設けられているため、モニタ１０内部を垂直方向に上ってきた熱は放熱誘導路１７を通過した後、水平方向に移動して切り欠き部１８ａを抜けて放出口部１３から放出される。
【００２１】
一方、天板１２ａに液体がかかった場合は、液体は放出口部１３から筐体１２内部に浸入する。または、天板１２ａにかかった液体の量が多ければ、放出口部１３から浸入する以外に、天板１２ａ上及びモニタ筐体１２に沿って流れることになる。図４におけるＢ−Ｂ線で切断したＢ−Ｂ線切断断面図である図６に点線の矢印で示すように、放出口部１３から浸入した液体は、誘導棒１５を伝わって排水誘導路１８に導かれ、液体排出口部１４から外部に排出される。排水誘導路１８は、放熱排水ユニット１６に浸入した液体をより液体排出口部１４から排水しやすくするため、筐体１２の正面Ｆ側から背面Ｒ側へ向かって下るように傾斜が設けられている。誘導棒１５の長さは、この傾斜に合わせて、しかも排水誘導路１８に接触しないようにされており、図４及び図６に明らかなように、筐体１２の正面Ｆ側から背面Ｒ側に向けて誘導棒１５の長さが次第に長くなる。このような誘導棒１５を設けることで、放出口部１３から浸入した液体は誘導棒１５を伝わって排水誘導路１８に流れることになるため、液体が放熱排水ユニット１６に浸入する際も直接排水誘導路１８に落ちることがなくなるため、液体が放熱排水ユニット１６に飛び散り、放熱排水ユニット１６以外の筐体１２内部の電子機器に接触して故障の原因となることもなくなる。
【００２２】
このようにすることで、モニタの放熱性能を落とすことなくモニタにかかった液体を排水することが可能な電子機器筐体及び該筐体を具備したモニタ、医用診断装置を提供することができる。
【００２３】
（第２の実施の形態）
次に本発明における第２の実施の形態について説明する。なお、第２の実施の形態において、上述の第１の実施の形態において説明した構成要素と同一の構成要素には同一の符号を付し、同一の構成要素の説明は重複するので省略する。
【００２４】
第２の実施の形態は、図７に示すように、天板１２ａに放熱用の放出口部１３が設けられ、この放出口部１３から浸入した液体は放熱排水ユニット内部を通ってモニタ１０の背面Ｒから排水される点では第１の実施の形態と同様であるが、放熱排水ユニットの形状が第１の実施の形態に示した放熱排水ユニット１６と異なる。
【００２５】
すなわち、放熱排水ユニット２０をモニタ１０に組み込んだ組立図を示す図８に示すように、第２の実施の形態における放熱排水ユニット２０は、一方の端部を放出口部１３とし、他方の端部を液体排出口部１４として、両端部をつなぐパイプ状の排水誘導路２１と、この排水誘導路２１と排水誘導路２１とを連結する連結部２２と、連結部２２と嵌合しモニタ１０の内部で発生した熱を集め放出口部１３へと誘導する放熱誘導路２３とから構成される。そして、図９の放熱排水ユニット２０の一部を抜き出して示す模式図に示されているように、この放熱排水ユニット２０が複数連結されて図７に示すようにモニタ１０の内部に組み込まれている。
【００２６】
放熱排水ユニット２０の形状について、図１０は、図８に示すＣ−Ｃ線でモニタ１０を切断して示した断面図である。図１０に表わされているように、排水誘導路２１は側面から見ると、天板１２ａから背面Ｒに向けて湾曲した形とされ、天板１２ａにかかった液体をモニタ１０の外部に排水する機能を有する。また、放熱誘導路２３はモニタ１０内部において垂直方向に開口するように設けられており、この放熱誘導路２３からモニタ１０の内部で発生した熱を放出口部１３から放熱するために熱を集める機能を有する。
【００２７】
次に、放熱が行われる際の熱の流れと排水が行われる際の液体の流れを、図９及び図１０を用いて説明する。
【００２８】
図１０に表わされているように、モニタ１０の筐体１２の内部には、例えば、画像表示装置等の電子機器３０が組み込まれており、その上部に放熱排水ユニット２０が設けられている。実線の矢印で示すように、モニタ１０内で発生した熱（暖かい空気）は、モニタ１０の上部に集まる。この熱は放熱誘導路２３の開口部を通り、排水誘導路２１を連結する連結部２２抜けて排水誘導路２１内を上昇し、放出口部１３からモニタ１０の外部へ放出される。すなわち、放熱誘導路２３と放出口部１３とは、互いにオフセットされた位置に設けられているため、図９に示すように、モニタ１０内部を垂直方向に上ってきた熱は放熱誘導路２３を通過した後、連結部２２を水平方向に移動して略Ｙ形を形成するようにモニタ１０の内部から放出口部１３を通り外部へ放出される。
【００２９】
一方、天板１２ａに液体がかかった場合は、液体は放出口部１３からモニタ１０内部に浸入する。または、天板１２ａにかかった液体の量が多ければ、放出口部１３から浸入する以外に、天板１２ａ上及びモニタ筐体１２に沿って流れることになる。図９または図１０に点線で示すように、放出口部１３から浸入した液体は、排水誘導路２１に導かれ、液体排出口部１４から外部に排出される。排水誘導路２１は、上述したように、天板１２ａから背面Ｒに向けて湾曲した形をしているので、モニタ１０に浸入した液体は排水誘導路２１内に止まらず排出される。さらに、連結部２２は、垂直方向に設けられている排水誘導路２１及び放熱誘導路２３とを水平方向に連結されていることから、放出される熱の通り道となる排水誘導路２１を連結する連結部２２及び放熱誘導路２３内に液体が浸入することはなく、従って、電子機器３０に液体がかかることによって故障することも防止することができる。
【００３０】
このようにすることで、モニタの放熱性能を落とすことなくモニタにかかった液体を排水することが可能な電子機器筐体及び該筐体を具備したモニタ、医用診断装置を提供することができる。
【００３１】
（第３の実施の形態）
次に本発明における第３の実施の形態について説明する。なお、第３の実施の形態において、上述の第１及び第２の実施の形態において説明した構成要素と同一の構成要素には同一の符号を付し、同一の構成要素の説明は重複するので省略する。
【００３２】
第３の実施の形態においては、第１及び第２の実施の形態同様、放出口部１３から浸入した液体はモニタ１０の外部に排出されるが、第１及び第２の実施の形態と異なり、モニタ１０の内部に浸入することはない点で異なる。
【００３３】
すなわちモニタ１０の全体図である図１１に示すように、モニタ１０の底面部の奥行きＬ１に比して天板５０の奥行きＬ２の方がＬ３の長さ分だけ長くなるように構成され、天板５０は背面Ｒ側に突き出したような形状とされている。放熱用の放出口部１３はこの天板５０のＬ３分突き出した部分に設けられ、この放出口部１３から浸入した液体は放熱排水ユニット内部を通ってモニタ１０の内部には浸入することなく背面Ｒ側の外部に排水される。
【００３４】
天板５０をモニタ１０に組み込んだ組立図である図１２に示すように、第３の実施の形態における天板５０は、一方の端部を放出口部１３とし、他方の端部を液体排出口部１４として、両端部をつなぐパイプ状の排水誘導路４１と、この排水誘導路４１と排水誘導路４１とを連結する連結部４２と、連結部４２と嵌合しモニタ１０の内部で発生した熱を集め放出口部１３へと誘導する放熱誘導路４３とから構成される。この放熱誘導路４３は、図１２に示すように、モニタ１０の筐体１２の内部に組み込まれる例えば、画像表示装置等の電子機器３０から発生する熱を集めるフード４３ａと、フード４３ａと連結部４２とをつなぐ放熱誘導管４３ｂから構成される。そして、図１３の天板５０の一部を抜き出して示す模式図に示されているように、この天板５０が複数連結されて図１２に示すようにモニタ１０の内部に組み込まれている。
【００３５】
天板５０の形状について、図１４は、図１２に示すＤ−Ｄ線でモニタ１０を切断して示した断面図である。図１４に表われているように、排水誘導路４１は側面から見ると、天板５０にかかった液体をモニタ１０の内部に浸入させることなく外部に垂直方向に排水するように天板５０の放出口部１３から液体排出口部１４まで垂直となるように設けられている。また、放熱誘導路４３は、モニタ１０の内部で発生した熱をフード４３ａ及び湾曲した放熱誘導管４３ｂを介して連結部４２を抜けて放出口部１３から放熱させるために熱を集める機能を有する。
【００３６】
次に、放熱が行われる際の熱の流れと排水が行われる際の液体の流れを、図１３及び図１４を用いて説明する。
【００３７】
図１４に表わされているように、モニタ１０の筐体１２の内部には、例えば、画像表示装置等の電子機器３０が組み込まれており、その上部に天板５０が設けられている。実線の矢印で示すように、モニタ１０内で発生した熱（暖かい空気）は、モニタ１０の上部に集まる。この熱はフード４３ａ、放熱誘導管４３ｂを通り、排水誘導路４１を連結する連結部４２を抜けて排水誘導路４１内を上昇し、放出口部１３からモニタ１０の外部へ放出される。すなわち、放熱誘導路４３を構成する放熱誘導管４３ｂと放出口部１３とは、互いにオフセットされた位置に設けられているため、図１３に示すように、モニタ１０内部を垂直方向に上ってフード４３ａに入った熱は放熱誘導管４３ｂを通過した後、連結部４２を水平方向に移動して略Ｙ形を形成するようにモニタ１０の内部から放出口部１３を通り外部へ放出される。
【００３８】
一方、天板５０に液体がかかった場合は、図１３または図１４に点線で示すように、液体は放出口部１３からモニタ１０内部に浸入することなく排水誘導路４１内を通って液体排出口部１４から外部に排出される。排水誘導路４１は、天板５０と垂直になるように設けられているので、天板５０にかかり放出口部１３から浸入した液体は排水誘導路４１内に止まることなくモニタ１０の外部に排出される。さらに、連結部４２は、垂直方向に設けられている排水誘導路４１及び放熱誘導路４３（放熱誘導管４３ｂ）とを水平方向に連結されていることから、放出される熱の通り道となる排水誘導路４１を連結する連結部４２及び放熱誘導路４３内に液体が浸入することはなく、従って、電子機器３０に液体がかかることによって故障することも防止することができる。
【００３９】
このようにすることで、モニタの放熱性能を落とすことなくモニタにかかった液体を排水することが可能な電子機器筐体及び該筐体を具備したモニタ、医用診断装置を提供することができる。
【００４０】
（第４の実施の形態）
次に本発明における第４の実施の形態について説明する。なお、第４の実施の形態において、上述の第１ないし第３の実施の形態において説明した構成要素と同一の構成要素には同一の符号を付し、同一の構成要素の説明は重複するので省略する。
【００４１】
第４の実施の形態においては、モニタ１０の筐体１２の上部を構成する天板６０を正面Ｆ側を除く３方のいずれかに傾斜させ、放熱効果を維持しつつ天板６０の表面にかかった液体をモニタ１０の内部に浸入させることなく流れ落ちるように天板６０が構成されている点に特徴がある。
【００４２】
第４の実施の形態においては、図１５に示すように、天板６０の表面に形成されている放出口部６１は貫通孔であり、全面にわたって複数設けられている。この放出口部６１の個数は、放出口部６１の孔の大きさと所望の放熱効果を得ることとの関係によって適宜決定することができる。放出口部６１の孔の大きさは、天板６０の表面にかかる液体のモニタ１０内への浸入を防止することのできる大きさ、例えば０．５ｍｍ以下、中でも０．１ｍｍ以下であることが好ましい。
【００４３】
また、放出口部６１は、天板６０の表面と同じ高さに空けられているのではなく、図１６の天板６０の部分拡大図に示すように、高さＴ分だけ隆起するように設けられている。このように放出口部６１を天板６０の表面から所定の高さＴだけ隆起して設けることにより、天板６０にかかった液体が放出口部６１からモニタ１０内に浸入する可能性を低くすることができる。従って、天板６０にかかった液体の多くは、天板６０の表面を流れてモニタ１０の外部に排水される。なお、放出口部６１におけるその貫通孔の形状は、天板６０の裏面に開孔する径αよりも、隆起した高さＴの部分における径βは小さく形成されている。このように形成することで、モニタ１０の下部から上部へと集まるモニタ１０の内部で発生した熱を放出し易くすることができるとともに、隆起した高さＴの部分における径βが小さいので、天板６０にかかった液体がモニタ１０の内部に浸入する可能性を小さくすることができる。
【００４４】
さらに、この天板６０の表面は、対向する筐体１２の底面６２に対して平行ではなく、正面Ｆ側を除く３方のいずれかの面が下がるように所定の傾斜をもって形成される。第４の実施の形態においては、天板６０は正面Ｆ側から背面Ｒ側へ向けて傾斜するようにされている。天板６０を傾斜させることで、天板６０にかかった液体はすばやく天板６０の表面を流れることになり、放出口部６１から液体が浸入する可能性が低くなる。この傾斜は、正面Ｆ側を除く、例えば、背面Ｒ側等、３方のいずれかの側が下がるように設けられていてもかまわず、また、複数の側が下がるように設けられていてもかまわない。また、天板６０の表面は撥水加工され、或いは天板６０自体が撥水性のある材料で形成されていることにより、より天板６０にかかった液体をすばやく流すことが可能となる。
【００４５】
このようにすることで、モニタの放熱性能を落とすことなくモニタにかかった液体を排水することが可能な電子機器筐体及び該筐体を具備したモニタ、医用診断装置を提供することができる。
【００４６】
なお、この発明は、上記実施の形態そのままに限定されるものではなく、実施段階ではその要旨を逸脱しない範囲で構成要素を変形して具体化できる。また、上記実施の形態に開示されている複数の構成要素を適宜組み合わせることにより種々の発明を形成できる。例えば、実施の形態に示される全構成要素から幾つかの構成要素を削除してもよい。更に、異なる実施の形態に亘る構成要素を適宜組み合わせてもよい。
【図面の簡単な説明】
【００４７】
【図１】本発明の実施の形態を含む超音波診断装置の全体図である。
【図２】第１の実施の形態におけるモニタの一部を背面から示す模式図である。
【図３】第１の実施の形態における放熱排水ユニットの一部を示す模式図である。
【図４】第１の実施の形態における放熱排水ユニットをモニタに組み込んだ例を一部示す組立図である。
【図５】図４におけるＡ−Ａ線切断断面図である。
【図６】図４におけるＢ−Ｂ線切断断面図である。
【図７】第２の実施の形態におけるモニタの背面から示す模式図である。
【図８】第２の実施の形態における放熱排水ユニットをモニタに組み込んだ例を示す組立図である。
【図９】第２の実施の形態における放熱排水ユニットの一部を示す模式図である。
【図１０】図８におけるＣ−Ｃ線切断断面図である。
【図１１】第３の実施の形態におけるモニタの正面から示す模式図である。
【図１２】第３の実施の形態における放熱排水ユニットをモニタに組み込んだ例を示す組立図である。
【図１３】第３の実施の形態における放熱排水ユニットの一部を示す模式図である。
【図１４】図１２におけるＤ−Ｄ線切断断面図である。
【図１５】第４の実施の形態におけるモニタを示す模式図である。
【図１６】第４の実施の形態における筐体の天板の一部を拡大して示す部分拡大図である。
【符号の説明】
【００４８】
１０    モニタ
１２    筐体
１３    放出口部
１４    放熱排水ユニット
１５    誘導棒
１６    放熱誘導路
１７    液体排出口部
１８    排水誘導路
２０    放熱排水ユニット
２１    排水誘導路
２２    連結部
２３    放熱誘導路
３０    電子機器
４０    放熱排水ユニット
４１    排水誘導路
４２    連結部
４３    放熱誘導路
４３ａ  フード
４３ｂ  放熱誘導管
５０    天板
６０    天板
６１    放出口部
６２    底面
【図１】
2007235055.tif 000003
【図２】
2007235055.tif 000004
【図３】
2007235055.tif 000005
【図４】
2007235055.tif 000006
【図５】
2007235055.tif 000007
【図６】
2007235055.tif 000008
【図７】
2007235055.tif 000009
【図８】
2007235055.tif 000010
【図９】
2007235055.tif 000011
【図１０】
2007235055.tif 000012
【図１１】
2007235055.tif 000013
【図１２】
2007235055.tif 000014
【図１３】
2007235055.tif 000015
【図１４】
2007235055.tif 000016
【図１５】
2007235055.tif 000017
【図１６】
2007235055.tif 000018